(57)【特許請求の範囲】
【請求項１】
第１の撮像モードと、前記第１の撮像モードと異なる第２の撮像モードとを含む複数の撮像モードのいずれか１つで起動する撮像装置であって、
前記撮像装置の電源をオンにする操作を受け付ける電源操作スイッチと、
第１の状態と第２の状態とを含む複数の状態のいずれか１つになる撮像操作スイッチであって、前記撮像装置が起動した後、前記第１の状態では撮像指示の操作は受け付けられず、前記第２の状態では前記撮像指示の操作が受け付けられる前記撮像操作スイッチと、
前記電源がオンであり前記撮像操作スイッチが前記第２の状態であるときに撮像を行う撮像モジュールと、
前記第１の撮像モードを示す第１の撮像モード情報と前記第２の撮像モードを示す第２の撮像モード情報とを記憶する記憶モジュールと、
前記撮像装置を起動する制御部であって、
前記撮像操作スイッチが前記第１の状態であり前記電源がオフからオンに遷移するとき、前記第１の撮像モード情報を前記記憶モジュールから読み出し、読み出された前記第１の撮像モード情報が示す前記第１の撮像モードで前記撮像装置を起動し、
前記撮像操作スイッチが前記第２の状態であり前記電源がオフからオンに遷移するとき、前記第２の撮像モード情報を前記記憶モジュールから読み出し、読み出された前記第２の撮像モード情報が示す前記第２の撮像モードで前記撮像装置を起動する前記制御部と、
前記第２の撮像モード情報を無線受信する通信モジュールと、
を有し、
前記記憶モジュールは、前記通信モジュールによって無線受信された前記第２の撮像モード情報を記憶する撮像装置。
【請求項２】
第１の撮像モードと、前記第２の撮像モードと、前記第１の撮像モードおよび前記第２の撮像モードのいずれとも異なる第３の撮像モードとを含む複数の撮像モードのいずれか１つで起動する前記撮像装置であって、
前記撮像操作スイッチは、前記第１の状態と前記第２の状態と第３の状態とを含む複数の状態のいずれか１つになり、前記撮像装置が起動した後、前記第３の状態では前記撮像モジュールに対するオートフォーカスの指示が受け付けられ、
前記記憶モジュールはさらに、前記第３の撮像モードを示す第３の撮像モード情報を記憶し、
前記制御部はさらに、前記撮像操作スイッチが前記第３の状態であり前記電源がオフからオンに遷移するとき、前記第３の撮像モード情報を前記記憶モジュールから読み出し、読み出された前記第３の撮像モード情報が示す前記第３の撮像モードで前記撮像装置を起動する
請求項１に記載の撮像装置。
【請求項３】
前記第３の撮像モードはタイマー撮像モードであり、前記第２の撮像モードは動画撮像モードである請求項２に記載の撮像装置。
【請求項４】
前記通信モジュールは、前記第３の撮像モード情報を無線受信し、
前記記憶モジュールは、前記通信モジュールによって無線受信された前記第３の撮像モード情報を記憶する
請求項２に記載の撮像装置。
【請求項５】
前記記憶モジュールはさらに、前記撮像装置が前記第３の撮像モードで起動するときの前記撮像操作スイッチの状態に応じた動作を示す動作情報を記憶し、
前記制御部はさらに、前記撮像操作スイッチが前記第３の状態であり前記電源がオフからオンに遷移するとき、前記撮像モジュールが最初に撮像可能状態になった直後の前記撮像操作スイッチの状態を検出し、前記動作情報を前記記憶モジュールから読み出し、読み出された前記動作情報が示す前記動作であって検出された前記状態に対応する前記動作を実行する
請求項２に記載の撮像装置。
【請求項６】
前記通信モジュールは、前記第３の撮像モード情報と前記動作情報とを無線受信し、
前記記憶モジュールは、前記通信モジュールによって無線受信された前記第３の撮像モード情報と前記動作情報とを記憶する
請求項５に記載の撮像装置。
【請求項７】
前記記憶モジュールはさらに、前記撮像装置が前記第２の撮像モードで起動するときの前記撮像操作スイッチの状態に応じた動作を示す動作情報を記憶し、
前記制御部はさらに、前記撮像操作スイッチが前記第２の状態であり前記電源がオフからオンに遷移するとき、前記撮像モジュールが最初に撮像可能状態になった直後の前記撮像操作スイッチの状態を検出し、前記動作情報を前記記憶モジュールから読み出し、読み出された前記動作情報が示す前記動作であって検出された前記状態に対応する前記動作を実行する
請求項１に記載の撮像装置。
【請求項８】
前記通信モジュールは、前記動作情報を無線受信し、
前記記憶モジュールは、前記通信モジュールによって無線受信された前記第２の撮像モード情報と前記動作情報とを記憶する
請求項７に記載の撮像装置。
【請求項９】
第１の撮像モードと、前記第１の撮像モードと異なる第２の撮像モードとを含む複数の撮像モードのいずれか１つで起動する撮像装置と、制御装置とを有する撮像システムであって、
前記撮像装置は、
前記撮像装置の電源をオンにする操作を受け付ける電源操作スイッチと、
第１の状態と第２の状態とを含む複数の状態のいずれか１つになる撮像操作スイッチであって、前記撮像装置が起動した後、前記第１の状態では撮像指示の操作は受け付けられず、前記第２の状態では前記撮像指示の操作が受け付けられる前記撮像操作スイッチと、
前記電源がオンであり前記撮像操作スイッチが前記第２の状態であるときに撮像を行う撮像モジュールと、
前記第２の撮像モードを示す第２の撮像モード情報を無線受信する第１の通信モジュールと、
前記第１の撮像モードを示す第１の撮像モード情報と、前記第１の通信モジュールによって無線受信された前記第２の撮像モード情報とを記憶する記憶モジュールと、
前記撮像装置を起動する制御部であって、
前記撮像操作スイッチが前記第１の状態であり前記電源がオフからオンに遷移するとき、前記第１の撮像モード情報を前記記憶モジュールから読み出し、読み出された前記第１の撮像モード情報が示す前記第１の撮像モードで前記撮像装置を起動し、
前記撮像操作スイッチが前記第２の状態であり前記電源がオフからオンに遷移するとき、前記第２の撮像モード情報を前記記憶モジュールから読み出し、読み出された前記第２の撮像モード情報が示す前記第２の撮像モードで前記撮像装置を起動する前記制御部と、
を有し、
前記制御装置は、
前記第２の撮像モード情報を無線送信する第２の通信モジュールを有する
撮像システム。
【請求項１０】
第１の撮像モードと、前記第１の撮像モードと異なる第２の撮像モードとを含む複数の撮像モードのいずれか１つで起動する撮像装置の起動方法であって、
前記撮像装置は、
前記撮像装置の電源をオンにする操作を受け付ける電源操作スイッチと、
第１の状態と第２の状態とを含む複数の状態のいずれか１つになる撮像操作スイッチであって、前記撮像装置が起動した後、前記第１の状態では撮像指示の操作は受け付けられず、前記第２の状態では前記撮像指示の操作が受け付けられる前記撮像操作スイッチと、
前記電源がオンであり前記撮像操作スイッチが前記第２の状態であるときに撮像を行う撮像モジュールと、
前記第１の撮像モードを示す第１の撮像モード情報と前記第２の撮像モードを示す第２の撮像モード情報とを記憶する記憶モジュールと、
前記第２の撮像モード情報を無線受信する通信モジュールと、
を有し、
前記撮像装置の起動方法は、
予め、前記記憶モジュールが前記通信モジュールによって無線受信された前記第２の撮像モード情報を記憶する第１のステップと、
前記電源操作スイッチによって、前記撮像装置の電源をオンにする操作を受け付ける第２のステップと、
前記撮像装置を起動する第３のステップであって、
前記撮像操作スイッチが前記第１の状態であり前記電源がオフからオンに遷移するとき、前記第１の撮像モード情報を前記記憶モジュールから読み出し、読み出された前記第１の撮像モード情報が示す前記第１の撮像モードで前記撮像装置を起動し、
前記撮像操作スイッチが前記第２の状態であり前記電源がオフからオンに遷移するとき、前記第２の撮像モード情報を前記記憶モジュールから読み出し、読み出された前記第２の撮像モード情報が示す前記第２の撮像モードで前記撮像装置を起動する前記第３のステップと、
を有する、撮像装置の起動方法。
【請求項１１】
第１の撮像モードと、前記第１の撮像モードと異なる第２の撮像モードとを含む複数の撮像モードのいずれか１つで起動する撮像装置のコンピュータに第１のステップないし第３のステップとを実行させるためのプログラムであって、
前記撮像装置は、
前記撮像装置の電源をオンにする操作を受け付ける電源操作スイッチと、
第１の状態と第２の状態とを含む複数の状態のいずれか１つになる撮像操作スイッチであって、前記撮像装置が起動した後、前記第１の状態では撮像指示の操作は受け付けられず、前記第２の状態では前記撮像指示の操作が受け付けられる前記撮像操作スイッチと、
前記電源がオンであり前記撮像操作スイッチが前記第２の状態であるときに撮像を行う撮像モジュールと、
前記第１の撮像モードを示す第１の撮像モード情報と前記第２の撮像モードを示す第２の撮像モード情報とを記憶する記憶モジュールと、
前記第２の撮像モード情報を無線受信する通信モジュールと、
を有し、
前記第１のステップでは、前記記憶モジュールに、前記通信モジュールによって無線受信された前記第２の撮像モード情報を記憶し、
前記第２のステップでは、前記電源操作スイッチによって、前記撮像装置の電源をオンにする操作を受け付け、
前記第３のステップでは、
前記撮像操作スイッチが前記第１の状態であり前記電源がオフからオンに遷移するとき、前記第１の撮像モード情報を前記記憶モジュールから読み出し、読み出された前記第１の撮像モード情報が示す前記第１の撮像モードで前記撮像装置を起動し、
前記撮像操作スイッチが前記第２の状態であり前記電源がオフからオンに遷移するとき、前記第２の撮像モード情報を前記記憶モジュールから読み出し、読み出された前記第２の撮像モード情報が示す前記第２の撮像モードで前記撮像装置を起動する
プログラム。
【発明の詳細な説明】
【技術分野】
【０００１】
本発明は、撮像装置、撮像システム、撮像装置の起動方法、およびプログラムに関する。
【背景技術】
【０００２】
操作性が向上する撮像装置が開示されている。例えば、特許文献１に開示されたデジタルカメラでは、シャッターボタンが所定の状態になるまでの時間に対応する撮像モードが設定される。
【先行技術文献】
【特許文献】
【０００３】
【特許文献１】日本国特開２００８−１５０１５号公報
【発明の概要】
【発明が解決しようとする課題】
【０００４】
特許文献１に開示された技術では、撮影準備が完了し、シャッターボタンが押された後、時間の計測が開始される。このため、特許文献１に開示された技術では、デジタルカメラが起動処理を行っている間、撮像モードを設定する処理は行われない。したがって、特許文献１に開示された技術では、デジタルカメラが起動した後、所望の撮像モードですぐに撮像を開始することが難しい。【０００５】
本発明は、撮像装置の起動時に撮像モードを設定することができる撮像装置、撮像システム、撮像装置の起動方法、およびプログラムを提供する。
【課題を解決するための手段】
【０００６】
本発明の第１の態様によれば、撮像装置は、第１の撮像モードと、前記第１の撮像モードと異なる第２の撮像モードとを含む複数の撮像モードのいずれか１つで起動する撮像装置であって、前記撮像装置の電源をオンにする操作を受け付ける電源操作スイッチと、第１の状態と第２の状態とを含む複数の状態のいずれか１つになる撮像操作スイッチであって、前記撮像装置が起動した後、前記第１の状態では撮像指示の操作は受け付けられず、前記第２の状態では前記撮像指示の操作が受け付けられる前記撮像操作スイッチと、前記電源がオンであり前記撮像操作スイッチが前記第２の状態であるときに撮像を行う撮像モジュールと、前記第１の撮像モードを示す第１の撮像モード情報と前記第２の撮像モードを示す第２の撮像モード情報とを記憶する記憶モジュールと、前記撮像装置を起動する制御部であって、前記撮像操作スイッチが前記第１の状態であり前記電源がオフからオンに遷移するとき、前記第１の撮像モード情報を前記記憶モジュールから読み出し、読み出された前記第１の撮像モード情報が示す前記第１の撮像モードで前記撮像装置を起動し、前記撮像操作スイッチが前記第２の状態であり前記電源がオフからオンに遷移するとき、前記第２の撮像モード情報を前記記憶モジュールから読み出し、読み出された前記第２の撮像モード情報が示す前記第２の撮像モードで前記撮像装置を起動する前記制御部と、前記第２の撮像モード情報を無線受信する通信モジュールと、を有し、前記記憶モジュールは、前記通信モジュールによって無線受信された前記第２の撮像モード情報を記憶する。
【０００７】
本発明の第２の態様によれば、第１の態様において、撮像装置は、第１の撮像モードと、前記第２の撮像モードと、前記第１の撮像モードおよび前記第２の撮像モードのいずれとも異なる第３の撮像モードとを含む複数の撮像モードのいずれか１つで起動する前記撮像装置であってもよい。前記撮像操作スイッチは、前記第１の状態と前記第２の状態と第３の状態とを含む複数の状態のいずれか１つになり、前記撮像装置が起動した後、前記第３の状態では前記撮像モジュールに対するオートフォーカスの指示が受け付けられてもよい。前記記憶モジュールはさらに、前記第３の撮像モードを示す第３の撮像モード情報を記憶してもよい。前記制御部はさらに、前記撮像操作スイッチが前記第３の状態であり前記電源がオフからオンに遷移するとき、前記第３の撮像モード情報を前記記憶モジュールから読み出し、読み出された前記第３の撮像モード情報が示す前記第３の撮像モードで前記撮像装置を起動してもよい。【０００８】
本発明の第３の態様によれば、第２の態様において、前記第３の撮像モードはタイマー撮像モードであってもよい。前記第２の撮像モードは動画撮像モードであってもよい。【０００９】
本発明の第４の態様によれば、第２の態様に係る前記撮像装置において、前記通信モジュールは、前記第３の撮像モード情報を無線受信してもよい。前記記憶モジュールは、前記通信モジュールによって無線受信された前記第３の撮像モード情報を記憶してもよい。
【００１０】
本発明の第５の態様によれば、第２の態様において、前記記憶モジュールはさらに、前記撮像装置が前記第３の撮像モードで起動するときの前記撮像操作スイッチの状態に応じた動作を示す動作情報を記憶してもよい。前記制御部はさらに、前記撮像操作スイッチが前記第３の状態であり前記電源がオフからオンに遷移するとき、前記撮像モジュールが最初に撮像可能状態になった直後の前記撮像操作スイッチの状態を検出し、前記動作情報を前記記憶モジュールから読み出し、読み出された前記動作情報が示す前記動作であって検出された前記状態に対応する前記動作を実行してもよい。【００１１】
本発明の第６の態様によれば、第５の態様に係る前記撮像装置において、前記通信モジュールは、前記第３の撮像モード情報と前記動作情報とを無線受信してもよい。前記記憶モジュールは、前記通信モジュールによって無線受信された前記第３の撮像モード情報と前記動作情報とを記憶してもよい。
【００１３】
本発明の第７の態様によれば、第１の態様に係る前記撮像装置において、前記記憶モジュールはさらに、前記撮像装置が前記第２の撮像モードで起動するときの前記撮像操作スイッチの状態に応じた動作を示す動作情報を記憶してもよい。前記制御部はさらに、前記撮像操作スイッチが前記第２の状態であり前記電源がオフからオンに遷移するとき、前記撮像モジュールが最初に撮像可能状態になった直後の前記撮像操作スイッチの状態を検出し、前記動作情報を前記記憶モジュールから読み出し、読み出された前記動作情報が示す前記動作であって検出された前記状態に対応する前記動作を実行してもよい。
【００１４】
本発明の第８の態様によれば、第７の態様に係る前記撮像装置において、前記通信モジュールは、前記動作情報を無線受信してもよい。前記記憶モジュールは、前記通信モジュールによって無線受信された前記第２の撮像モード情報と前記動作情報とを記憶してもよい。
【００１５】
本発明の第９の態様によれば、撮像システムは、第１の撮像モードと、前記第１の撮像モードと異なる第２の撮像モードとを含む複数の撮像モードのいずれか１つで起動する撮像装置と、制御装置とを有する撮像システムであって、前記撮像装置は、前記撮像装置の電源をオンにする操作を受け付ける電源操作スイッチと、第１の状態と第２の状態とを含む複数の状態のいずれか１つになる撮像操作スイッチであって、前記撮像装置が起動した後、前記第１の状態では撮像指示の操作は受け付けられず、前記第２の状態では前記撮像指示の操作が受け付けられる前記撮像操作スイッチと、前記電源がオンであり前記撮像操作スイッチが前記第２の状態であるときに撮像を行う撮像モジュールと、前記第２の撮像モードを示す第２の撮像モード情報を無線受信する第１の通信モジュールと、前記第１の撮像モードを示す第１の撮像モード情報と、前記第１の通信モジュールによって無線受信された前記第２の撮像モード情報とを記憶する記憶モジュールと、前記撮像装置を起動する制御部であって、前記撮像操作スイッチが前記第１の状態であり前記電源がオフからオンに遷移するとき、前記第１の撮像モード情報を前記記憶モジュールから読み出し、読み出された前記第１の撮像モード情報が示す前記第１の撮像モードで前記撮像装置を起動し、前記撮像操作スイッチが前記第２の状態であり前記電源がオフからオンに遷移するとき、前記第２の撮像モード情報を前記記憶モジュールから読み出し、読み出された前記第２の撮像モード情報が示す前記第２の撮像モードで前記撮像装置を起動する前記制御部と、を有し、前記制御装置は、前記第２の撮像モード情報を無線送信する第２の通信モジュールを有する。
【００１６】
本発明の第１０の態様によれば、撮像装置の起動方法は、第１の撮像モードと、前記第１の撮像モードと異なる第２の撮像モードとを含む複数の撮像モードのいずれか１つで起動する撮像装置の起動方法であって、前記撮像装置は、前記撮像装置の電源をオンにする操作を受け付ける電源操作スイッチと、第１の状態と第２の状態とを含む複数の状態のいずれか１つになる撮像操作スイッチであって、前記撮像装置が起動した後、前記第１の状態では撮像指示の操作は受け付けられず、前記第２の状態では前記撮像指示の操作が受け付けられる前記撮像操作スイッチと、前記電源がオンであり前記撮像操作スイッチが前記第２の状態であるときに撮像を行う撮像モジュールと、前記第１の撮像モードを示す第１の撮像モード情報と前記第２の撮像モードを示す第２の撮像モード情報とを記憶する記憶モジュールと、前記第２の撮像モード情報を無線受信する通信モジュールと、を有し、前記撮像装置の起動方法は、予め、前記記憶モジュールが前記通信モジュールによって無線受信された前記第２の撮像モード情報を記憶する第１のステップと、前記電源操作スイッチによって、前記撮像装置の電源をオンにする操作を受け付ける第２のステップと、前記撮像装置を起動する第３のステップであって、前記撮像操作スイッチが前記第１の状態であり前記電源がオフからオンに遷移するとき、前記第１の撮像モード情報を前記記憶モジュールから読み出し、読み出された前記第１の撮像モード情報が示す前記第１の撮像モードで前記撮像装置を起動し、前記撮像操作スイッチが前記第２の状態であり前記電源がオフからオンに遷移するとき、前記第２の撮像モード情報を前記記憶モジュールから読み出し、読み出された前記第２の撮像モード情報が示す前記第２の撮像モードで前記撮像装置を起動する前記第３のステップと、を有する。
【００１７】
本発明の第１１の態様によれば、プログラムは、第１の撮像モードと、前記第１の撮像モードと異なる第２の撮像モードとを含む複数の撮像モードのいずれか１つで起動する撮像装置のコンピュータに第１のステップないし第３のステップとを実行させるためのプログラムであって、前記撮像装置は、前記撮像装置の電源をオンにする操作を受け付ける電源操作スイッチと、第１の状態と第２の状態とを含む複数の状態のいずれか１つになる撮像操作スイッチであって、前記撮像装置が起動した後、前記第１の状態では撮像指示の操作は受け付けられず、前記第２の状態では前記撮像指示の操作が受け付けられる前記撮像操作スイッチと、前記電源がオンであり前記撮像操作スイッチが前記第２の状態であるときに撮像を行う撮像モジュールと、前記第１の撮像モードを示す第１の撮像モード情報と前記第２の撮像モードを示す第２の撮像モード情報とを記憶する記憶モジュールと、前記第２の撮像モード情報を無線受信する通信モジュールと、を有し、前記第１のステップでは、前記記憶モジュールに、前記通信モジュールによって無線受信された前記第２の撮像モード情報を記憶し、前記第２のステップでは、前記電源操作スイッチによって、前記撮像装置の電源をオンにする操作を受け付け、前記第３のステップでは、前記撮像操作スイッチが前記第１の状態であり前記電源がオフからオンに遷移するとき、前記第１の撮像モード情報を前記記憶モジュールから読み出し、読み出された前記第１の撮像モード情報が示す前記第１の撮像モードで前記撮像装置を起動し、前記撮像操作スイッチが前記第２の状態であり前記電源がオフからオンに遷移するとき、前記第２の撮像モード情報を前記記憶モジュールから読み出し、読み出された前記第２の撮像モード情報が示す前記第２の撮像モードで前記撮像装置を起動する。
【発明の効果】
【００１８】
上記の各態様によれば、電源がオフからオンに遷移するときの撮像操作スイッチの状態に応じて、撮像装置が第１の撮像モードと第２の撮像モードとを含む複数の撮像モードのいずれか１つで起動する。このため、撮像装置の起動時に撮像モードを設定することができる。
【図面の簡単な説明】
【００１９】
【図１】本発明の第１の実施形態の撮像装置の構成を示すブロック図である。
【図２】本発明の第１の実施形態における撮像操作スイッチの断面図である。
【図３】本発明の第１の実施形態における第１の撮像モード情報と第２の撮像モード情報とを示す参考図である。
【図４】本発明の第１の実施形態における撮像装置の起動処理の手順を示すフローチャートである。
【図５】本発明の第２の実施形態の撮像装置の構成を示すブロック図である。
【図６】本発明の第２の実施形態における撮像操作スイッチの断面図である。
【図７】本発明の第２の実施形態における第１の撮像モード情報と第２の撮像モード情報と第３の撮像モード情報とを示す参考図である。
【図８】本発明の第２の実施形態における撮像装置の起動処理の手順を示すフローチャートである。
【図９】本発明の第３の実施形態の撮像システムの構成図である。
【図１０】本発明の第３の実施形態の撮像装置の構成を示すブロック図である。
【図１１】本発明の第３の実施形態の制御装置の構成を示すブロック図である。
【図１２】本発明の第３の実施形態における撮像モード情報の更新処理の手順を示すフローチャートである。
【図１３】本発明の第３の実施形態における撮像モード情報の送信処理の手順を示すフローチャートである。
【図１４】本発明の第４の実施形態の撮像装置の構成を示すブロック図である。
【図１５】本発明の第４の実施形態における第１の動作情報と第２の動作情報と第３の動作情報とを示す参考図である。
【図１６】本発明の第４の実施形態における撮像装置の起動処理の手順を示すフローチャートである。
【図１７】本発明の第４の実施形態における初期撮像処理の手順を示すフローチャートである。
【図１８】本発明の第４の実施形態における初期撮像処理の手順を示すフローチャートである。
【図１９】本発明の第４の実施形態における初期撮像処理の手順を示すフローチャートである。
【図２０】本発明の第５の実施形態の撮像装置の構成を示すブロック図である。
【図２１】本発明の第５の実施形態の制御装置の構成を示すブロック図である。
【図２２】本発明の第５の実施形態における撮像モード情報と動作情報との更新処理の手順を示すフローチャートである。
【図２３】本発明の第５の実施形態における撮像モード情報と動作情報との送信処理の手順を示すフローチャートである。
【発明を実施するための形態】
【００２０】
図面を参照し、本発明の実施形態を説明する。
【００２１】
（第１の実施形態）
図１は、本発明の第１の実施形態の撮像装置１０ａの構成を示している。図１に示すように、撮像装置１０ａは、電源操作スイッチ１００と、撮像操作スイッチ１０１ａと、撮像モジュール１０２と、記憶モジュール１０３ａと、制御部１０４ａとを有する。撮像装置１０ａの電源は図示されていない。撮像装置１０ａの電源は撮像装置１０ａから取り外し可能であってもよい。
【００２２】
撮像装置１０ａは、第１の撮像モードと、第１の撮像モードと異なる第２の撮像モードとを含む複数の撮像モードのいずれか１つで起動する。例えば、第１の撮像モードは通常撮像（静止画撮像）である。例えば、第２の撮像モードはタイマー撮像である。撮像装置１０ａに設定可能な撮像モードは、第１の撮像モードと第２の撮像モードとのいずれとも異なる撮像モードを含んでもよい。
【００２３】
電源操作スイッチ１００は、撮像装置１０ａの電源をオンにする操作を受け付ける。電源操作スイッチ１００はさらに、撮像装置１０ａの電源をオフにする操作を受け付けてもよい。例えば、電源操作スイッチ１００がユーザの体の一部と接触しているとき、電源操作スイッチ１００はユーザから操作を受け付ける。電源操作スイッチ１００は、操作を受け付けたとき、操作に応じた信号を制御部１０４ａに出力する。電源操作スイッチ１００の形状と構造とは任意である。例えば、電源操作スイッチ１００は電源ボタンである。
【００２４】
撮像操作スイッチ１０１ａは、第１の状態と第２の状態とを含む複数の状態のいずれか１つになる。つまり、撮像操作スイッチ１０１ａは、第１の状態と第２の状態とを含む複数の状態を切り替え可能である。撮像装置１０ａが起動した後、撮像操作スイッチ１０１ａが第１の状態であるとき、撮像指示の操作は受け付けられない。撮像装置１０ａが起動した後、撮像操作スイッチ１０１ａが第２の状態であるとき、撮像指示の操作が受け付けられる。撮像操作スイッチ１０１ａがなりうる状態は、第１の状態と第２の状態とのいずれとも異なる状態を含んでもよい。撮像操作スイッチ１０１ａがユーザの体の一部と接触しているとき、撮像操作スイッチ１０１ａはユーザから操作を受け付ける。撮像操作スイッチ１０１ａは、操作を受け付けたとき、操作に応じた信号を制御部１０４ａに出力する。撮像操作スイッチ１０１ａの形状と構造とは任意である。例えば、撮像操作スイッチ１０１ａはシャッターボタンである。
【００２５】
撮像モジュール１０２は、電源がオンであり撮像操作スイッチが第２の状態であるときに撮像を行う。撮像モジュール１０２は、撮像素子を有する。撮像モジュール１０２は、撮像モードに応じて撮像を行う。例えば、通常撮像では、撮像操作スイッチ１０１ａが第２の状態になったとき、撮像モジュール１０２は静止画の撮像を行う。例えば、タイマー撮像では、撮像操作スイッチ１０１ａが第２の状態になったときから所定時間が経過したとき、撮像モジュール１０２は静止画の撮像を行う。撮像モジュール１０２は、撮像によって画像（画像データ）を生成する。生成された画像は制御部１０４ａに出力される。生成された画像は記録媒体に記録されてもよい。あるいは、生成された画像は他の装置に出力されてもよい。あるいは、撮像装置１０ａが表示モジュールを有する場合、生成された画像は表示モジュールに表示されてもよい。
【００２６】
記憶モジュール１０３ａは、第１の撮像モードを示す第１の撮像モード情報と第２の撮像モードを示す第２の撮像モード情報とを記憶する。記憶モジュール１０３ａは、揮発性または不揮発性の記録媒体である。例えば、第１の撮像モード情報は、第１の撮像モードで撮像装置１０ａが起動するための第１の制御パラメータを含む。例えば、第１の制御パラメータは、撮像モジュール１０２が第１の撮像モードで撮像を行うための第１の撮像パラメータを含む。例えば、第２の撮像モード情報は、第２の撮像モードで撮像装置１０ａが起動するための第２の制御パラメータを含む。例えば、第２の制御パラメータは、撮像モジュール１０２が第２の撮像モードで撮像を行うための第２の撮像パラメータを含む。
【００２７】
制御部１０４ａは、撮像装置１０ａを起動する。すなわち、制御部１０４ａは、撮像操作スイッチ１０１ａが第１の状態であり電源がオフからオンに遷移するとき、第１の撮像モード情報を記憶モジュール１０３ａから読み出し、読み出された第１の撮像モード情報が示す第１の撮像モードで撮像装置１０ａを起動する。また、制御部１０４ａは、撮像操作スイッチ１０１ａが第２の状態であり電源がオフからオンに遷移するとき、第２の撮像モード情報を記憶モジュール１０３ａから読み出し、読み出された第２の撮像モード情報が示す第２の撮像モードで撮像装置１０ａを起動する。制御部１０４ａは、撮像装置１０ａが起動するとき、撮像モードに応じた撮像パラメータを撮像モジュール１０２に設定する。
【００２８】
例えば、制御部１０４ａは、制御部１０４ａの動作を規定する命令を含むプログラムを読み込み、読み込まれたプログラムを実行する。このプログラムは、フラッシュメモリのような「コンピュータ読み取り可能な記録媒体」により提供されてもよい。また、上述したプログラムは、このプログラムが保存された記憶装置等を有するコンピュータから、伝送媒体を介して、あるいは伝送媒体中の伝送波により撮像装置１０ａに伝送されてもよい。プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００２９】
図２は、撮像操作スイッチ１０１ａの状態を示している。図２では、撮像操作スイッチ１０１ａの断面が示されている。図２では、撮像操作スイッチ１０１ａがボタンとして構成されている場合の例が示されている。撮像操作スイッチ１０１ａは、撮像装置１０ａの筐体の表面１５０ａに形成された開口部に配置されている。撮像操作スイッチ１０１ａが押されていないとき、撮像操作スイッチ１０１ａは第１の状態である。撮像操作スイッチ１０１ａが押されたとき、撮像操作スイッチ１０１ａは撮像装置１０ａの内部に向かって移動する。撮像操作スイッチ１０１ａの上端の位置が撮像装置１０ａの筐体の表面１５０ａとほぼ一致したとき、撮像操作スイッチ１０１ａは第２の状態である。例えば、撮像操作スイッチ１０１ａの状態が図２に示す第１の状態と第２の状態との間にある場合、撮像操作スイッチ１０１ａの状態は第１の状態である。
【００３０】
図３は、第１の実施形態における第１の撮像モード情報Ａ１１と第２の撮像モード情報Ａ１２とを示している。第１の撮像モード情報Ａ１１と第２の撮像モード情報Ａ１２とは、撮像操作スイッチ１０１ａの状態を示す情報と、撮像モードを示す情報との組み合わせを含む。第１の撮像モード情報Ａ１１は、第１の状態を示す情報と、第１の撮像モードを示す情報との組合せを含む。第２の撮像モード情報Ａ１２は、第２の状態を示す情報と、第２の撮像モードを示す情報との組合せを含む。例えば、第１の撮像モードは通常撮像であり、第２の撮像モードはタイマー撮像である。
【００３１】
図４は、撮像装置１０ａの起動処理の手順を示している。図４を参照して、撮像装置１０ａの起動処理を説明する。
【００３２】
電源操作スイッチ１００は、撮像装置１０ａの電源をオンにする操作を受け付ける（ステップＳ１００）。これによって、撮像装置１０ａの電源がオフからオンに遷移する。
【００３３】
撮像装置１０ａの電源がオンになった後、制御部１０４ａは撮像操作スイッチ１０１ａの状態を検出する（ステップＳ１０５）。撮像操作スイッチ１０１ａの状態が検出された後、制御部１０４ａは、ステップＳ１０５で検出された撮像操作スイッチ１０１ａの状態が第１の状態であるか否かを判定する（ステップＳ１１０）。
【００３４】
撮像操作スイッチ１０１ａの状態が第１の状態である場合、制御部１０４ａは、第１の撮像モード情報を記憶モジュール１０３ａから読み出し、読み出された第１の撮像モード情報が示す第１の撮像モードで撮像装置１０ａを起動する（ステップＳ１１５）。例えば、ステップＳ１１５では、制御部１０４ａは、第１の状態を示す情報が含まれる第１の撮像モード情報Ａ１１を記憶モジュール１０３ａから読み出す。制御部１０４ａは、第１の撮像モード情報Ａ１１において、第１の状態を示す情報と関連付けられている情報が示す第１の撮像モードで撮像装置１０ａを起動する。
【００３５】
撮像操作スイッチ１０１ａの状態が第１の状態でない場合、制御部１０４ａは、第２の撮像モード情報を記憶モジュール１０３ａから読み出し、読み出された第２の撮像モード情報が示す第２の撮像モードで撮像装置１０ａを起動する（ステップＳ１２０）。例えば、ステップＳ１２０では、制御部１０４ａは、第２の状態を示す情報が含まれる第２の撮像モード情報Ａ１２を記憶モジュール１０３ａから読み出す。制御部１０４ａは、第２の撮像モード情報Ａ１２において、第２の状態を示す情報と関連付けられている情報が示す第２の撮像モードで撮像装置１０ａを起動する。
【００３６】
上記の処理が行われた後、撮像装置１０ａの起動処理が終了する。撮像装置１０ａの起動処理が終了した後、撮像操作スイッチ１０１ａの状態が第２の状態になったとき、撮像モードに応じた撮像が行われる。
【００３７】
第１の実施形態によれば、第１の撮像モードと、第１の撮像モードと異なる第２の撮像モードとを含む複数の撮像モードのいずれか１つで起動する撮像装置１０ａであって、撮像装置１０ａの電源をオンにする操作を受け付ける電源操作スイッチ１００と、第１の状態と第２の状態とを含む複数の状態のいずれか１つになる撮像操作スイッチ１０１ａであって、撮像装置１０ａが起動した後、第１の状態では撮像指示の操作は受け付けられず、第２の状態では撮像指示の操作が受け付けられる撮像操作スイッチ１０１ａと、電源がオンであり撮像操作スイッチ１０１ａが第２の状態であるときに撮像を行う撮像モジュール１０２と、第１の撮像モードを示す第１の撮像モード情報と第２の撮像モードを示す第２の撮像モード情報とを記憶する記憶モジュール１０３ａと、撮像装置１０ａを起動する制御部１０４ａとを有する撮像装置１０ａが構成される。制御部１０４ａは、撮像操作スイッチ１０１ａが第１の状態であり電源がオフからオンに遷移するとき、第１の撮像モード情報を記憶モジュール１０３ａから読み出し、読み出された第１の撮像モード情報が示す第１の撮像モードで撮像装置１０ａを起動する。制御部１０４ａは、撮像操作スイッチ１０１ａが第２の状態であり電源がオフからオンに遷移するとき、第２の撮像モード情報を記憶モジュール１０３ａから読み出し、読み出された第２の撮像モード情報が示す第２の撮像モードで撮像装置１０ａを起動する。
【００３８】
また、第１の実施形態によれば、第１の撮像モードと、第１の撮像モードと異なる第２の撮像モードとを含む複数の撮像モードのいずれか１つで起動する撮像装置１０ａの起動方法が構成される。撮像装置１０ａの起動方法は、電源操作スイッチ１００によって、撮像装置１０ａの電源をオンにする操作を受け付ける第１のステップ（ステップＳ１００）と、撮像装置１０ａを起動する第２のステップ（ステップＳ１１５，Ｓ１２０）とを有する。第２のステップ（ステップＳ１１５）では、撮像操作スイッチ１０１ａが第１の状態であり電源がオフからオンに遷移するとき、第１の撮像モード情報が記憶モジュール１０３ａから読み出され、読み出された第１の撮像モード情報が示す第１の撮像モードで撮像装置１０ａが起動する。あるいは、第２のステップ（ステップＳ１２０）では、撮像操作スイッチ１０１ａが第２の状態であり電源がオフからオンに遷移するとき、第２の撮像モード情報が記憶モジュール１０３ａから読み出され、読み出された第２の撮像モード情報が示す第２の撮像モードで撮像装置１０ａが起動する。
【００３９】
また、第１の実施形態によれば、第１の撮像モードと、第１の撮像モードと異なる第２の撮像モードとを含む複数の撮像モードのいずれか１つで起動する撮像装置１０ａのコンピュータに第１のステップ（ステップＳ１００）と第２のステップ（ステップＳ１１５，Ｓ１２０）とを実行させるためのプログラムが構成される。
【００４０】
第１の実施形態では、電源がオフからオンに遷移するときの撮像操作スイッチ１０１ａの状態に応じて、撮像装置１０ａが第１の撮像モードと第２の撮像モードとを含む複数の撮像モードのいずれか１つで起動する。このため、撮像装置１０ａの起動時に撮像モードを設定することができる。
【００４１】
撮像装置１０ａが、限られたユーザインターフェースを有する場合でも、撮像操作スイッチ１０１ａの操作による撮像モードの設定が可能である。ユーザは、撮像操作スイッチ１０１ａの操作によって撮像モードを簡易に選択することができる。また、撮像装置１０ａの起動と同時に撮像モードが設定されるので、選択された撮像モードで撮像可能になるまでの待ち時間が短くなる。
【００４２】
（第２の実施形態）
図５は、本発明の第２の実施形態の撮像装置１０ｂの構成を示している。図５に示すように、撮像装置１０ｂは、電源操作スイッチ１００と、撮像操作スイッチ１０１ｂと、撮像モジュール１０２と、記憶モジュール１０３ｂと、制御部１０４ｂとを有する。撮像装置１０ｂの電源は図示されていない。撮像装置１０ｂの電源は撮像装置１０ｂから取り外し可能であってもよい。
【００４３】
図５に示す構成について、図１に示す構成と異なる点を説明する。撮像装置１０ｂは、第１の撮像モードと、第２の撮像モードと、第１の撮像モードおよび第２の撮像モードと異なる第３の撮像モードとを含む複数の撮像モードのいずれか１つで起動する。例えば、第１の撮像モードは通常撮像である。例えば、第２の撮像モードは動画撮像である。例えば、動画撮像では、撮像操作スイッチ１０１ｂが第２の状態になったとき、撮像モジュール１０２は動画の撮像を行う。例えば、第３の撮像モードはタイマー撮像である。撮像装置１０ｂに設定可能な撮像モードは、第１の撮像モードと第２の撮像モードと第３の撮像モードとのいずれとも異なる撮像モードを含んでもよい。
【００４４】
撮像操作スイッチ１０１ｂは、第１の状態と第２の状態と第３の状態とを含む複数の状態のいずれか１つになる。つまり、撮像操作スイッチ１０１ｂは、第１の状態と第２の状態と第３の状態とを含む複数の状態を切り替え可能である。通常撮像等のモードで撮像装置１０ｂが起動した後、撮像操作スイッチ１０１ｂが第３の状態であるとき、撮像モジュール１０２に対するオートフォーカスの指示が受け付けられる。撮像操作スイッチ１０１ｂがなりうる状態は、第１の状態と第２の状態と第３の状態とのいずれとも異なる状態を含んでもよい。撮像操作スイッチ１０１ｂがユーザの体の一部と接触しているとき、撮像操作スイッチ１０１ｂはユーザから操作を受け付ける。撮像操作スイッチ１０１ｂは、操作を受け付けたとき、操作に応じた信号を制御部１０４ｂに出力する。撮像操作スイッチ１０１ｂの形状と構造とは任意である。例えば、撮像操作スイッチ１０１ｂはシャッターボタンである。
【００４５】
記憶モジュール１０３ｂは、第１の撮像モード情報と、第２の撮像モード情報と、第３の撮像モードを示す第３の撮像モード情報とを記憶する。記憶モジュール１０３ｂは、揮発性または不揮発性の記録媒体である。例えば、第３の撮像モード情報は、第３の撮像モードで撮像装置１０ｂが起動するための第３の制御パラメータを含む。例えば、第３の制御パラメータは、撮像モジュール１０２が第３の撮像モードで撮像を行うための第３の撮像パラメータを含む。
【００４６】
撮像操作スイッチ１０１ｂが第１の状態または第２の状態であり電源がオフからオンに遷移するとき、制御部１０４ｂは図１に示す制御部１０４ａと同様の処理を行う。制御部１０４ｂはさらに、撮像操作スイッチ１０１ｂが第３の状態であり電源がオフからオンに遷移するとき、第３の撮像モード情報を記憶モジュール１０３ｂから読み出し、読み出された第３の撮像モード情報が示す第３の撮像モードで撮像装置１０ｂを起動する。通常撮像等のモードで撮像装置１０ｂが起動した後、撮像操作スイッチ１０１ｂがオートフォーカスの指示を受け付けた場合（つまり、撮像操作スイッチ１０１ｂが第３の状態である場合）、制御部１０４ｂは撮像モジュール１０２のフォーカスを調整する。
【００４７】
例えば、制御部１０４ｂは、制御部１０４ｂの動作を規定する命令を含むプログラムを読み込み、読み込まれたプログラムを実行する。このプログラムの実現形態は、図１に示す制御部１０４ａの機能を実現するプログラムの実現形態と同様である。
【００４８】
上記以外の点については、図５に示す構成は図１に示す構成と同様である。
【００４９】
図６は、撮像操作スイッチ１０１ｂの状態を示している。図６では、撮像操作スイッチ１０１ｂの断面が示されている。図６では、撮像操作スイッチ１０１ｂがボタンとして構成されている場合の例が示されている。撮像操作スイッチ１０１ｂは、撮像装置１０ｂの筐体の表面１５０ｂに形成された開口部に配置されている。撮像操作スイッチ１０１ｂが押されていないとき、撮像操作スイッチ１０１ｂは第１の状態である。撮像操作スイッチ１０１ｂが押されたとき、撮像操作スイッチ１０１ｂは撮像装置１０ｂの内部に向かって移動する。撮像操作スイッチ１０１ｂの上端の位置が撮像装置１０ｂの筐体の表面１５０ｂとほぼ一致したとき、撮像操作スイッチ１０１ｂは第２の状態である。撮像操作スイッチ１０１ｂの上端の位置が、第１の状態における上端の位置と第２の状態における上端の位置とのほぼ中間であるとき、撮像操作スイッチ１０１ｂは第３の状態である。
【００５０】
例えば、撮像操作スイッチ１０１ｂの状態が図６に示す第１の状態と第３の状態との間にある場合、撮像操作スイッチ１０１ｂの状態は第１の状態である。例えば、撮像操作スイッチ１０１ｂの状態が図６に示す第３の状態と第２の状態との間にある場合、撮像操作スイッチ１０１ｂの状態は第３の状態である。
【００５１】
図７は、第２の実施形態における第１の撮像モード情報Ａ２１と第２の撮像モード情報Ａ２２と第３の撮像モード情報Ａ２３とを示している。第１の撮像モード情報Ａ２１は、図３における第１の撮像モード情報Ａ１１と同様である。第２の撮像モード情報Ａ２２は、図３における第２の撮像モード情報Ａ１２と同様である。このため、第１の撮像モード情報Ａ２１と第２の撮像モード情報Ａ２２とについての説明を省略する。
【００５２】
第３の撮像モード情報Ａ２３は、撮像操作スイッチ１０１ｂの状態を示す情報と、撮像モードを示す情報との組み合わせを含む。第３の撮像モード情報Ａ２３は、第３の状態を示す情報と、第３の撮像モードを示す情報との組合せを含む。例えば、第１の撮像モードは通常撮像（静止画撮像）であり、第２の撮像モードは動画撮像であり、第３の撮像モードはタイマー撮像である。
【００５３】
図８は、撮像装置１０ｂの起動処理の手順を示している。図８を参照して、撮像装置１０ｂの起動処理を説明する。図８に示す処理について、図４に示す処理と異なる点を説明する。
【００５４】
ステップＳ１１０で撮像操作スイッチ１０１ｂの状態が第１の状態でないと判定された場合、制御部１０４ａは、ステップＳ１０５で検出された撮像操作スイッチ１０１ｂの状態が第２の状態であるか否かを判定する（ステップＳ２００）。撮像操作スイッチ１０１ｂの状態が第２の状態である場合、第２の撮像モードで撮像装置１０ｂが起動する（ステップＳ１２０）。この処理は、図４のステップＳ１２０の処理と同様である。
【００５５】
撮像操作スイッチ１０１ｂの状態が第２の状態でない場合、撮像操作スイッチ１０１ｂの状態は第３の状態である。制御部１０４ｂは、第３の撮像モード情報を記憶モジュール１０３ｂから読み出し、読み出された第３の撮像モード情報が示す第３の撮像モードで撮像装置１０ｂを起動する（ステップＳ２０５）。例えば、ステップＳ２０５では、制御部１０４ｂは、第３の状態を示す情報が含まれる第３の撮像モード情報Ａ２３を記憶モジュール１０３ｂから読み出す。制御部１０４ｂは、第３の撮像モード情報Ａ２３において、第３の状態を示す情報と関連付けられている情報が示す第３の撮像モードで撮像装置１０ｂを起動する。
【００５６】
上記以外の点については、図８に示す処理は図４に示す処理と同様である。
【００５７】
第２の実施形態では、電源がオフからオンに遷移するときの撮像操作スイッチ１０１ｂの状態に応じて、撮像装置１０ｂが第１の撮像モードと第２の撮像モードと第３の撮像モードとを含む複数の撮像モードのいずれか１つで起動する。このため、撮像装置１０ｂの起動時に撮像モードを設定することができる。
【００５８】
（第３の実施形態）
図９は、本発明の第３の実施形態の撮像システム１の構成を示している。図９に示すように、撮像システム１は、撮像装置１０ｃと、制御装置２０ｃと、レンズモジュール３０とを有する。
【００５９】
電源操作スイッチ１００と撮像操作スイッチ１０１ｂとが撮像装置１０ｃの表面に配置されている。制御装置２０ｃは、撮像装置１０ｃと無線通信を行う。第３の実施形態では、撮像装置１０ｃは、制御装置２０ｃから受信される第２の撮像モード情報または第３の撮像モード情報により、撮像装置１０ｃに保持されている第２の撮像モード情報または第３の撮像モード情報を更新する。
【００６０】
レンズモジュール３０は、フォーカスレンズまたはズームレンズ等のレンズを有する。図９では、レンズモジュール３０は撮像装置１０ｃに装着されている。撮像装置１０ｃとレンズモジュール３０とは分離可能であってもよい。撮像装置１０ｃがレンズを有していてもよい。
【００６１】
図１０は、撮像装置１０ｃの構成を示している。図１０に示すように、撮像装置１０ｃは、電源操作スイッチ１００と、撮像操作スイッチ１０１ｂと、撮像モジュール１０２と、記憶モジュール１０３ｂと、制御部１０４ｂと、通信モジュール１０５ｃ（第１の通信モジュール）とを有する。撮像装置１０ｃの電源は図示されていない。撮像装置１０ｃの電源は撮像装置１０ｃから取り外し可能であってもよい。
【００６２】
図１０に示す構成について、図５に示す構成と異なる点を説明する。通信モジュール１０５ｃは、制御装置２０ｃと無線通信を行う。通信モジュール１０５ｃは、第２の撮像モード情報または第３の撮像モード情報を制御装置２０ｃから無線受信する。記憶モジュール１０３ｂは、第１の撮像モード情報と、第２の撮像モード情報と、第３の撮像モード情報とを記憶する。また、記憶モジュール１０３ｂは、通信モジュール１０５ｃによって無線受信された第２の撮像モード情報または第３の撮像モード情報を記憶する。
【００６３】
上記以外の点については、図１０に示す構成は図５に示す構成と同様である。
【００６４】
図１１は、制御装置２０ｃの構成を示している。図１１に示すように、制御装置２０ｃは、通信モジュール２００ｃ（第２の通信モジュール）と、表示モジュール２０１ｃと、操作スイッチ２０２ｃと、記憶モジュール２０３ｃと、制御部２０４ｃとを有する。本発明の１つの態様である制御装置は、通信モジュール２００ｃに対応する構成以外を有していなくてもよい。
【００６５】
通信モジュール２００ｃは、撮像装置１０ｃと無線通信を行う。通信モジュール２００ｃは、第２の撮像モード情報または第３の撮像モード情報を撮像装置１０ｃに無線送信する。
【００６６】
表示モジュール２０１ｃは、撮像装置１０ｃに設定可能な１つまたは複数の撮像モードに対応する１つまたは複数の撮像モード情報に基づいて１つまたは複数の撮像モードを表示する。
【００６７】
操作スイッチ２０２ｃは、表示モジュール２０１ｃによって表示された撮像モードのいずれか１つを選択する操作を受け付ける。例えば、操作スイッチ２０２ｃがユーザの体の一部と接触しているとき、操作スイッチ２０２ｃはユーザから操作を受け付ける。操作スイッチ２０２ｃは、操作を受け付けたとき、操作に応じた信号を制御部２０４ｃに出力する。操作スイッチ２０２ｃの形状と構造とは任意である。例えば、操作スイッチ２０２ｃはタッチパネルである。
【００６８】
記憶モジュール２０３ｃは、撮像装置１０ｃに設定可能な１つまたは複数の撮像モードに対応する１つまたは複数の撮像モード情報を記憶する。記憶モジュール２０３ｃは、揮発性または不揮発性の記録媒体である。例えば、記憶モジュール２０３ｃに記憶される１つまたは複数の撮像モード情報は、タイマー撮像モードと、動画撮像モードと、マクロ撮像モードと、連射撮像モードと、暗所撮像モードとのいずれか１つまたは複数に対応する。例えば、記憶モジュール２０３ｃに記憶される１つまたは複数の撮像モード情報は、その撮像モード情報に対応する撮像モードで撮像装置１０ｃが起動するための制御パラメータを含む。例えば、制御パラメータは、撮像モジュール１０２がその撮像モードで撮像を行うための撮像パラメータを含む。記憶モジュール２０３ｃに記憶される１つまたは複数の撮像モード情報は、第１の撮像モードと第２の撮像モードと第３の撮像モードとのいずれとも関連付けられていない。
【００６９】
制御部２０４ｃは、ユーザによって選択された撮像モードに対応する撮像モード情報を記憶モジュール２０３ｃから読み出す。制御部２０４ｃは、読み出された撮像モード情報に基づいて第２の撮像モード情報または第３の撮像モード情報を生成する。
【００７０】
ユーザによって選択された撮像モードを示す第２の撮像モード情報または第３の撮像モード情報が撮像装置１０ｃの記憶モジュール１０３ｂに記憶される。したがって、撮像装置１０ｃは、記憶モジュール１０３ｂに記憶される第２の撮像モード情報と第３の撮像モード情報とを、ユーザによって選択された撮像モードに対応する情報に変更することができる。つまり、第３の実施形態では、第２の撮像モード情報と第３の撮像モード情報とはカスタマイズ可能である。
【００７１】
撮像装置１０ｃの起動処理は、図８に示す、撮像装置１０ｂの起動処理と同様である。このため、撮像装置１０ｃの起動処理についての説明を省略する。
【００７２】
図１２は、撮像装置１０ｃが行う、撮像モード情報の更新処理の手順を示している。図１２を参照して、撮像モード情報の更新処理を説明する。
【００７３】
撮像装置１０ｃが起動し、撮像装置１０ｃが撮影モード情報の更新処理を開始した後、通信モジュール１０５ｃは、撮像モード情報を制御装置２０ｃから無線受信する（ステップＳ３００）。撮像モード情報が受信された後、制御部１０４ｂは、受信された撮像モード情報を確認する（ステップＳ３０５）。
【００７４】
受信された撮像モード情報が確認された後、制御部１０４ｂは、受信された撮像モード情報が第２の撮像モード情報であるか否かを判定する（ステップＳ３１０）。例えば、撮像操作スイッチ１０１ｂの状態を示す情報が、受信された撮像モード情報に付加されている。第２の状態を示す情報が撮像モード情報に付加されている場合、受信された撮像モード情報は第２の撮像モード情報であると判定することが可能である。第３の状態を示す情報が撮像モード情報に付加されている場合、受信された撮像モード情報は第３の撮像モード情報であると判定することが可能である。
【００７５】
受信された撮像モード情報が第２の撮像モード情報である場合、制御部１０４ｂは、記憶モジュール１０３ｂに記憶されている第２の撮像モード情報を、受信された撮像モード情報で更新する（ステップＳ３１５）。この結果、記憶モジュール１０３ｂに記憶された第２の撮像モード情報は、ユーザによって選択された撮像モードを示す。
【００７６】
受信された撮像モード情報が第２の撮像モード情報でない場合、受信された撮像モード情報は第３の撮像モード情報である。制御部１０４ｂは、記憶モジュール１０３ｂに記憶されている第３の撮像モード情報を、受信された撮像モード情報で更新する（ステップＳ３２０）。この結果、記憶モジュール１０３ｂに記憶された第３の撮像モード情報は、ユーザによって選択された撮像モードを示す。
【００７７】
上記の処理が行われた後、撮像モード情報の更新処理が終了する。
【００７８】
図１３は、制御装置２０ｃが行う、撮像モード情報の送信処理の手順を示している。図１３を参照して、撮像モード情報の送信処理を説明する。
【００７９】
制御部２０４ｃは、撮像装置１０ｃに設定可能な１つまたは複数の撮像モードに対応する１つまたは複数の撮像モード情報を記憶モジュール２０３ｃから読み出し、読み出された撮像モード情報を表示モジュール２０１ｃに出力する。表示モジュール２０１ｃは、撮像モード情報に基づいて、撮像装置１０ｃに設定可能な１つまたは複数の撮像モードを表示する（ステップＳ３５０）。
【００８０】
撮像モードが表示された後、操作スイッチ２０２ｃは、撮像モードを選択する操作を受け付ける。制御部２０４ｃは、選択された撮像モードを検出する（ステップＳ３５５）。選択された撮像モードが検出された後、操作スイッチ２０２ｃは、撮像操作スイッチ１０１ｂの状態を選択する操作を受け付ける。制御部２０４ｃは、選択された撮像操作スイッチ１０１ｂの状態を検出する（ステップＳ３６０）。
【００８１】
選択された撮像操作スイッチ１０１ｂの状態が検出された後、制御部２０４ｃは、ステップＳ３５５で検出された撮像モードに対応する撮像モード情報を記憶モジュール２０３ｃから読み出す（ステップＳ３６５）。制御部２０４ｃは、読み出された撮像モード情報と、選択された撮像操作スイッチ１０１ｂの状態とに基づいて、第２の撮像モード情報または第３の撮像モード情報を生成する（ステップＳ３７０）。例えば、第２の状態が選択された場合、制御部２０４ｃは、読み出された撮像モード情報に対して、第２の状態を示す情報を付加することにより、第２の撮像モード情報を生成する。あるいは、第３の状態が選択された場合、制御部２０４ｃは、読み出された撮像モード情報に対して、第３の状態を示す情報を付加することにより、第３の撮像モード情報を生成する。生成された第２の撮像モード情報または第３の撮像モード情報は通信モジュール２００ｃに出力される。
【００８２】
第２の撮像モード情報または第３の撮像モード情報が生成された後、通信モジュール２００ｃは、第２の撮像モード情報または第３の撮像モード情報を撮像装置１０ｃに無線送信する（ステップＳ３７５）。
【００８３】
上記の処理が行われた後、撮像モード情報の送信処理が終了する。
【００８４】
上記の説明では、撮像装置１０ｃが保持する第２の撮像モード情報と第３の撮像モード情報との両方の更新が可能である。しかし、撮像装置１０ｃが保持する第２の撮像モード情報と第３の撮像モード情報との一方のみの更新が可能であってもよい。また、同様の方法により、撮像装置１０ｃが保持する第１の撮像モード情報の更新が可能であってもよい。
【００８５】
第３の実施形態によれば、第１の撮像モードと、第１の撮像モードと異なる第２の撮像モードとを含む複数の撮像モードのいずれか１つで起動する撮像装置１０ｃと、制御装置２０ｃとを有する撮像システム１が構成される。撮像装置１０ｃは、電源操作スイッチ１００と、撮像操作スイッチ１０１ｂと、撮像モジュール１０２と、通信モジュール１０５ｃ（第１の通信モジュール）と、記憶モジュール１０３ｂと、制御部１０４ｂと、を有する。制御装置２０ｃは、通信モジュール２００ｃ（第２の通信モジュール）を有する。
【００８６】
第３の実施形態では、第２の撮像モード情報と第３の撮像モード情報とを、ユーザによって選択された撮像モードに対応する情報に変更することができる。
【００８７】
（第４の実施形態）
図１４は、本発明の第４の実施形態の撮像装置１０ｄの構成を示している。図１４に示すように、撮像装置１０ｄは、電源操作スイッチ１００と、撮像操作スイッチ１０１ｂと、撮像モジュール１０２と、記憶モジュール１０３ｄと、制御部１０４ｄとを有する。撮像装置１０ｄの電源は図示されていない。撮像装置１０ｄの電源は撮像装置１０ｄから取り外し可能であってもよい。
【００８８】
図１４に示す構成について、図５に示す構成と異なる点を説明する。記憶モジュール１０３ｄは、第１の撮像モード情報と第２の撮像モード情報と第３の撮像モード情報とを記憶する。記憶モジュール１０３ｄはさらに、撮像装置１０ｄが第２の撮像モードまたは第３の撮像モードで起動するときの撮像操作スイッチ１０１ｂの状態に応じた動作を示す動作情報を記憶する。動作情報が示す動作は、撮像に関する動作である。動作情報が示す動作は、撮像モードに応じた撮像の実行と、撮像モードに応じた撮像の非実行とのいずれか１つに対応する。あるいは、動作情報が示す動作は、撮像の前処理の実行に対応する。例えば、撮像の前処理はオートフォーカスである。
【００８９】
撮像操作スイッチ１０１ｂが第１の状態と第２の状態と第３の状態とのいずれか１つであり電源がオフからオンに遷移するとき、制御部１０４ｄは図５に示す制御部１０４ｂと同様の処理を行う。制御部１０４ｄはさらに、撮像操作スイッチ１０１ｂが第２の状態または第３の状態であり電源がオフからオンに遷移するとき、撮像モジュール１０２が最初に撮像可能状態になった直後の撮像操作スイッチ１０１ｂの状態を検出する。制御部１０４ｄはさらに、動作情報を記憶モジュール１０３ｄから読み出し、読み出された動作情報が示す動作であって検出された状態に対応する動作を実行する。
【００９０】
例えば、制御部１０４ｄは、制御部１０４ｄの動作を規定する命令を含むプログラムを読み込み、読み込まれたプログラムを実行する。このプログラムの実現形態は、図１に示す制御部１０４ａの機能を実現するプログラムの実現形態と同様である。
【００９１】
第４の実施形態では、撮像装置１０ｄの起動処理に必要な時間は、撮像モジュール１０２の起動処理に必要な時間よりも長い。このため、撮像モジュール１０２が撮像可能状態になった後、撮像装置１０ｄの起動処理が完了する。例えば、撮像装置１０ｄが、無線通信可能な通信モジュールを有する場合、撮像装置１０ｄの起動処理は、撮像モジュール１０２の起動処理と、通信モジュールの起動処理とを含む。通信モジュールの起動処理は、通信相手の装置（例えば、図９に示す制御装置２０ｃ）と無線通信の接続を確立する処理を含む。通信モジュールの起動処理に必要な時間は、撮像モジュール１０２の起動処理に必要な時間よりも長い。このため、撮像モジュール１０２が撮像可能状態になった後、通信モジュールの起動処理が完了する。撮像モジュール１０２が撮像可能状態になった後、撮像装置１０ｄの起動処理が完了する前に、制御部１０４ｄは動作情報に基づく動作を実行することが可能である。
【００９２】
上記以外の点については、図１４に示す構成は図５に示す構成と同様である。
【００９３】
図１５は、第４の実施形態における第１の動作情報Ｂ１１と第２の動作情報Ｂ１２と第３の動作情報Ｂ１３とを示している。第１の動作情報Ｂ１１と第２の動作情報Ｂ１２と第３の動作情報Ｂ１３とは、起動直後の撮像モードを示す情報と、撮像モジュール１０２が最初に撮像可能状態になった直後の動作を示す情報との組み合わせを含む。以下の説明では、撮像モジュール１０２が最初に撮像可能状態になった直後のタイミングが初期タイミングと記載される。初期タイミングにおける動作は、初期タイミングの撮像操作スイッチ１０１ｂの状態に応じて決められている。図１５では、参考のため、第１の動作情報Ｂ１１と第２の動作情報Ｂ１２と第３の動作情報Ｂ１３とのそれぞれに対応する、撮像装置１０ｄの起動時の撮像操作スイッチ１０１ｂの状態が示されている。
【００９４】
第１の動作情報Ｂ１１は、第１の撮像モードを示す情報と、初期タイミングの撮像操作スイッチ１０１ｂの状態に応じた動作を示す情報との組合せを含む。第２の動作情報Ｂ１２は、第２の撮像モードを示す情報と、初期タイミングの撮像操作スイッチ１０１ｂの状態に応じた動作を示す情報との組合せを含む。第３の動作情報Ｂ１３は、第３の撮像モードを示す情報と、初期タイミングの撮像操作スイッチ１０１ｂの状態に応じた動作を示す情報との組合せを含む。例えば、第１の撮像モードは通常撮像（静止画撮像）であり、第２の撮像モードは動画撮像であり、第３の撮像モードはタイマー撮像である。
【００９５】
第１の動作情報Ｂ１１は第１の撮像モードすなわち通常撮像に対応する。第１の動作情報Ｂ１１において、初期タイミングの撮像操作スイッチ１０１ｂの第１の状態に対応する動作は非実行である。動作が非実行である場合、初期タイミングにおいて撮像は行われない。第１の動作情報Ｂ１１において、初期タイミングの撮像操作スイッチ１０１ｂの第２の状態に対応する動作は静止画撮像実行である。このため、撮像装置１０ｄが第１の撮像モードで起動する場合であって、初期タイミングの撮像操作スイッチ１０１ｂの状態が第２の状態である場合、制御部１０４ｄは静止画撮像を実行する。第１の動作情報Ｂ１１において、初期タイミングの撮像操作スイッチ１０１ｂの第３の状態に対応する動作はオートフォーカス実行である。このため、撮像装置１０ｄが第１の撮像モードで起動する場合であって、初期タイミングの撮像操作スイッチ１０１ｂの状態が第３の状態である場合、制御部１０４ｄは撮像モジュール１０２のフォーカスを調整する。
【００９６】
第２の動作情報Ｂ１２は第２の撮像モードすなわち動画撮像に対応する。第２の動作情報Ｂ１２において、初期タイミングの撮像操作スイッチ１０１ｂの第１の状態と第２の状態とに対応する動作は非実行である。第２の動作情報Ｂ１２において、初期タイミングの撮像操作スイッチ１０１ｂの第３の状態に対応する動作は動画撮像実行である。このため、撮像装置１０ｄが第２の撮像モードで起動する場合であって、初期タイミングの撮像操作スイッチ１０１ｂの状態が第３の状態である場合、制御部１０４ｄは動画撮像を実行する。
【００９７】
第３の動作情報Ｂ１３は第３の撮像モードすなわちタイマー撮像に対応する。第３の動作情報Ｂ１３において、初期タイミングの撮像操作スイッチ１０１ｂの第１の状態と第３の状態とに対応する動作は非実行である。第３の動作情報Ｂ１３において、初期タイミングの撮像操作スイッチ１０１ｂの第２の状態に対応する動作はタイマー撮像実行である。このため、撮像装置１０ｄが第３の撮像モードで起動する場合であって、初期タイミングの撮像操作スイッチ１０１ｂの状態が第２の状態である場合、制御部１０４ｄはタイマー撮像を実行する。
【００９８】
第１の動作情報Ｂ１１と第２の動作情報Ｂ１２と第３の動作情報Ｂ１３とのいずれにおいても、撮像装置１０ｄの電源がオンになった直後の撮像操作スイッチ１０１ｂの状態と同一の状態に対応する動作は非実行である。第１の動作情報Ｂ１１と第２の動作情報Ｂ１２と第３の動作情報Ｂ１３とのいずれにおいても、撮像装置１０ｄの電源がオンになった直後の撮像操作スイッチ１０１ｂの状態と異なる状態に対応する動作は、撮像モードに対応する撮像に関する動作である。
【００９９】
図１６は、撮像装置１０ｄの起動処理の手順を示している。図１６を参照して、撮像装置１０ｄの起動処理を説明する。
【０１００】
ステップＳ１００において、撮像操作スイッチ１０１ｂの状態が第１の状態である場合、制御部１０４ｄは、第１の撮像モード情報を記憶モジュール１０３ｄから読み出し、読み出された第１の撮像モード情報が示す第１の撮像モードで撮像装置１０ｄの起動を開始する（ステップＳ４００）。撮像装置１０ｄの起動が開始された後、制御部１０４ｄは、第１の撮像モードに対応する初期撮像処理を実行する（ステップＳ４０５）。
【０１０１】
ステップＳ２００において、撮像操作スイッチ１０１ｂの状態が第２の状態である場合、制御部１０４ｄは、第２の撮像モード情報を記憶モジュール１０３ｄから読み出し、読み出された第２の撮像モード情報が示す第２の撮像モードで撮像装置１０ｄの起動を開始する（ステップＳ４１０）。撮像装置１０ｄの起動が開始された後、制御部１０４ｄは、第２の撮像モードに対応する初期撮像処理を実行する（ステップＳ４１５）。
【０１０２】
ステップＳ２００において、撮像操作スイッチ１０１ｂの状態が第２の状態でない場合、撮像操作スイッチ１０１ｂの状態は第３の状態である。制御部１０４ｄは、第３の撮像モード情報を記憶モジュール１０３ｄから読み出し、読み出された第３の撮像モード情報が示す第３の撮像モードで撮像装置１０ｄの起動を開始する（ステップＳ４２０）。撮像装置１０ｄの起動が開始された後、制御部１０４ｄは、第３の撮像モードに対応する初期撮像処理を実行する（ステップＳ４２５）。
【０１０３】
上記の処理が行われた後、初期撮像処理が終了する。
【０１０４】
図１７は、第１の撮像モードに対応する初期撮像処理（ステップＳ４０５）の手順を示している。図１７を参照して、第１の撮像モードに対応する初期撮像処理を説明する。
【０１０５】
制御部１０４ｄは、撮像モジュール１０２の状態を検出する（ステップＳ４０５ａ）。撮像モジュール１０２の状態が検出された後、制御部１０４ｄは、ステップＳ４０５ａで検出された撮像モジュール１０２の状態に基づいて、撮像が可能であるか否かを判定する（ステップＳ４０５ｂ）。撮像が可能でない場合、ステップＳ４０５ａの処理が再度行われる。
【０１０６】
撮像が可能である場合、すなわち撮像モジュール１０２が撮像可能状態である場合、制御部１０４ｄは撮像操作スイッチ１０１ｂの状態を検出する（ステップＳ４０５ｃ）。撮像操作スイッチ１０１ｂの状態が検出された後、制御部１０４ｄは、ステップＳ４０５ｃで検出された撮像操作スイッチ１０１ｂの状態が第１の状態であるか否かを判定する（ステップＳ４０５ｄ）。
【０１０７】
撮像操作スイッチ１０１ｂの状態が第１の状態である場合、制御部１０４ｄは、動作情報を記憶モジュール１０３ｄから読み出す（ステップＳ４０５ｅ）。ステップＳ４０５ｅでは、図１５に示す第１の動作情報Ｂ１１が読み出される。図１５に示すように、第１の動作情報Ｂ１１において、初期タイミングの撮像操作スイッチ１０１ｂの第１の状態に対応する動作は非実行である。このため、撮像は実行されず、第１の撮像モードに対応する初期撮像処理が終了する。
【０１０８】
撮像操作スイッチ１０１ｂの状態が第１の状態でない場合、制御部１０４ｄは、ステップＳ４０５ｃで検出された撮像操作スイッチ１０１ｂの状態が第２の状態であるか否かを判定する（ステップＳ４０５ｆ）。撮像操作スイッチ１０１ｂの状態が第２の状態である場合、制御部１０４ｄは、動作情報を記憶モジュール１０３ｄから読み出す（ステップＳ４０５ｇ）。ステップＳ４０５ｇでは、図１５に示す第１の動作情報Ｂ１１が読み出される。図１５に示すように、第１の動作情報Ｂ１１において、初期タイミングの撮像操作スイッチ１０１ｂの第２の状態に対応する動作は静止画撮像実行である。このため、制御部１０４ｄは、撮像モジュール１０２に静止画撮像の実行を指示する。撮像モジュール１０２は、制御部１０４ｄからの指示に基づいて静止画撮像を実行する（ステップＳ４０５ｈ）。静止画撮像が実行された後、第１の撮像モードに対応する初期撮像処理が終了する。
【０１０９】
撮像操作スイッチ１０１ｂの状態が第２の状態でない場合、撮像操作スイッチ１０１ｂの状態は第３の状態である。制御部１０４ｄは、動作情報を記憶モジュール１０３ｄから読み出す（ステップＳ４０５ｉ）。ステップＳ４０５ｉでは、図１５に示す第１の動作情報Ｂ１１が読み出される。図１５に示すように、第１の動作情報Ｂ１１において、初期タイミングの撮像操作スイッチ１０１ｂの第３の状態に対応する動作はオートフォーカス実行である。このため、制御部１０４ｄは、撮像モジュール１０２にオートフォーカスの実行を指示する。撮像モジュール１０２は、制御部１０４ｄからの指示に基づいてフォーカスを調整する（ステップＳ４０５ｊ）。オートフォーカスが実行された後、第１の撮像モードに対応する初期撮像処理が終了する。
【０１１０】
図１８は、第２の撮像モードに対応する初期撮像処理（ステップＳ４１５）の手順を示している。図１８を参照して、第２の撮像モードに対応する初期撮像処理を説明する。
【０１１１】
制御部１０４ｄは、撮像モジュール１０２の状態を検出する（ステップＳ４１５ａ）。撮像モジュール１０２の状態が検出された後、制御部１０４ｄは、ステップＳ４１５ａで検出された撮像モジュール１０２の状態に基づいて、撮像が可能であるか否かを判定する（ステップＳ４１５ｂ）。撮像が可能でない場合、ステップＳ４１５ａの処理が再度行われる。
【０１１２】
撮像が可能である場合、すなわち撮像モジュール１０２が撮像可能状態である場合、制御部１０４ｄは撮像操作スイッチ１０１ｂの状態を検出する（ステップＳ４１５ｃ）。撮像操作スイッチ１０１ｂの状態が検出された後、制御部１０４ｄは、ステップＳ４１５ｃで検出された撮像操作スイッチ１０１ｂの状態が第１の状態であるか否かを判定する（ステップＳ４１５ｄ）。
【０１１３】
撮像操作スイッチ１０１ｂの状態が第１の状態である場合、制御部１０４ｄは、動作情報を記憶モジュール１０３ｄから読み出す（ステップＳ４１５ｅ）。ステップＳ４１５ｅでは、図１５に示す第２の動作情報Ｂ１２が読み出される。図１５に示すように、第２の動作情報Ｂ１２において、初期タイミングの撮像操作スイッチ１０１ｂの第１の状態に対応する動作は非実行である。このため、撮像は実行されず、第２の撮像モードに対応する初期撮像処理が終了する。
【０１１４】
撮像操作スイッチ１０１ｂの状態が第１の状態でない場合、制御部１０４ｄは、ステップＳ４１５ｃで検出された撮像操作スイッチ１０１ｂの状態が第２の状態であるか否かを判定する（ステップＳ４１５ｆ）。撮像操作スイッチ１０１ｂの状態が第２の状態である場合、制御部１０４ｄは、動作情報を記憶モジュール１０３ｄから読み出す（ステップＳ４１５ｇ）。ステップＳ４１５ｇでは、図１５に示す第２の動作情報Ｂ１２が読み出される。図１５に示すように、第２の動作情報Ｂ１２において、初期タイミングの撮像操作スイッチ１０１ｂの第２の状態に対応する動作は非実行である。このため、撮像は実行されず、第２の撮像モードに対応する初期撮像処理が終了する。
【０１１５】
撮像操作スイッチ１０１ｂの状態が第２の状態でない場合、撮像操作スイッチ１０１ｂの状態は第３の状態である。制御部１０４ｄは、動作情報を記憶モジュール１０３ｄから読み出す（ステップＳ４１５ｈ）。ステップＳ４１５ｈでは、図１５に示す第２の動作情報Ｂ１２が読み出される。図１５に示すように、第２の動作情報Ｂ１２において、初期タイミングの撮像操作スイッチ１０１ｂの第３の状態に対応する動作は動画撮像実行である。このため、制御部１０４ｄは、撮像モジュール１０２に動画撮像の実行を指示する。撮像モジュール１０２は、制御部１０４ｄからの指示に基づいて動画撮像を実行する（ステップＳ４１５ｉ）。動画撮像が実行された後、第２の撮像モードに対応する初期撮像処理が終了する。
【０１１６】
図１９は、第３の撮像モードに対応する初期撮像処理（ステップＳ４２５）の手順を示している。図１９を参照して、第３の撮像モードに対応する初期撮像処理を説明する。
【０１１７】
制御部１０４ｄは、撮像モジュール１０２の状態を検出する（ステップＳ４２５ａ）。撮像モジュール１０２の状態が検出された後、制御部１０４ｄは、ステップＳ４２５ａで検出された撮像モジュール１０２の状態に基づいて、撮像が可能であるか否かを判定する（ステップＳ４２５ｂ）。撮像が可能でない場合、ステップＳ４２５ａの処理が再度行われる。
【０１１８】
撮像が可能である場合、すなわち撮像モジュール１０２が撮像可能状態である場合、制御部１０４ｄは撮像操作スイッチ１０１ｂの状態を検出する（ステップＳ４２５ｃ）。撮像操作スイッチ１０１ｂの状態が検出された後、制御部１０４ｄは、ステップＳ４２５ｃで検出された撮像操作スイッチ１０１ｂの状態が第１の状態であるか否かを判定する（ステップＳ４２５ｄ）。
【０１１９】
撮像操作スイッチ１０１ｂの状態が第１の状態である場合、制御部１０４ｄは、動作情報を記憶モジュール１０３ｄから読み出す（ステップＳ４２５ｅ）。ステップＳ４２５ｅでは、図１５に示す第３の動作情報Ｂ１３が読み出される。図１５に示すように、第３の動作情報Ｂ１３において、初期タイミングの撮像操作スイッチ１０１ｂの第１の状態に対応する動作は非実行である。このため、撮像は実行されず、第３の撮像モードに対応する初期撮像処理が終了する。
【０１２０】
撮像操作スイッチ１０１ｂの状態が第１の状態でない場合、制御部１０４ｄは、ステップＳ４２５ｃで検出された撮像操作スイッチ１０１ｂの状態が第２の状態であるか否かを判定する（ステップＳ４２５ｆ）。撮像操作スイッチ１０１ｂの状態が第２の状態である場合、制御部１０４ｄは、動作情報を記憶モジュール１０３ｄから読み出す（ステップＳ４２５ｇ）。ステップＳ４２５ｇでは、図１５に示す第３の動作情報Ｂ１３が読み出される。図１５に示すように、第３の動作情報Ｂ１３において、初期タイミングの撮像操作スイッチ１０１ｂの第２の状態に対応する動作はタイマー撮像実行である。このため、制御部１０４ｄは、撮像モジュール１０２にタイマー撮像の実行を指示する。撮像モジュール１０２は、制御部１０４ｄからの指示に基づいてタイマー撮像を実行する（ステップＳ４２５ｈ）。タイマー撮像が実行された後、第３の撮像モードに対応する初期撮像処理が終了する。
【０１２１】
撮像操作スイッチ１０１ｂの状態が第２の状態でない場合、撮像操作スイッチ１０１ｂの状態は第３の状態である。制御部１０４ｄは、動作情報を記憶モジュール１０３ｄから読み出す（ステップＳ４２５ｉ）。ステップＳ４２５ｉでは、図１５に示す第３の動作情報Ｂ１３が読み出される。図１５に示すように、第３の動作情報Ｂ１３において、初期タイミングの撮像操作スイッチ１０１ｂの第３の状態に対応する動作は非実行である。このため、撮像は実行されず、第３の撮像モードに対応する初期撮像処理が終了する。
【０１２２】
図１７から図１９に示す処理は、特定の撮像モードにおける例である。図１７から図１９に示す処理は、撮像モードと動作情報とに応じて変わりうる。
【０１２３】
上記の説明では、第２の撮像モードと第３の撮像モードとの両方において、初期撮像処理が可能である。しかし、第２の撮像モードと第３の撮像モードとの一方のみにおいて、初期撮像処理が可能であってもよい。また、第１の撮像モードにおいて初期撮像処理が可能でなくてもよい。
【０１２４】
第４の実施形態では、撮像装置１０ｄが起動し、撮像モジュール１０２が撮像可能状態になった直後に、撮像装置１０ｄは、撮像に関する動作を実行することができる。撮像装置１０ｄは、撮像モード毎に、初期タイミングの撮像操作スイッチ１０１ｂの状態に応じた動作を実行することができる。ユーザは、撮像操作スイッチ１０１ｂの操作によって初期タイミングの動作を簡易に選択することができる。
【０１２５】
（第５の実施形態）
本発明の第５の実施形態の撮像システムでは、図９に示す撮像システム１における撮像装置１０ｃが、図２０に示す撮像装置１０ｅに変更される。また、図９に示す撮像システム１における制御装置２０ｃが、図２１に示す制御装置２０ｅに変更される。
【０１２６】
図２０は、撮像装置１０ｅの構成を示している。図２０に示すように、撮像装置１０ｅは、電源操作スイッチ１００と、撮像操作スイッチ１０１ｂと、撮像モジュール１０２と、記憶モジュール１０３ｄと、制御部１０４ｄと、通信モジュール１０５ｅ（第１の通信モジュール）とを有する。撮像装置１０ｅの電源は図示されていない。撮像装置１０ｅの電源は撮像装置１０ｅから取り外し可能であってもよい。
【０１２７】
図２０に示す構成について、図１４に示す構成と異なる点を説明する。通信モジュール１０５ｅは、制御装置２０ｅと無線通信を行う。通信モジュール１０５ｅは、第２の撮像モード情報または第３の撮像モード情報と動作情報とを制御装置２０ｅから無線受信する。記憶モジュール１０３ｄは、第１の撮像モード情報と、第２の撮像モード情報と、第３の撮像モード情報と、動作情報とを記憶する。また、記憶モジュール１０３ｄは、通信モジュール１０５ｅによって無線受信された第２の撮像モード情報または第３の撮像モード情報と動作情報とを記憶する。
【０１２８】
上記以外の点については、図２０に示す構成は図１４に示す構成と同様である。
【０１２９】
図２１は、制御装置２０ｅの構成を示している。図２１に示すように、制御装置２０ｅは、通信モジュール２００ｅ（第２の通信モジュール）と、表示モジュール２０１ｃと、操作スイッチ２０２ｅと、記憶モジュール２０３ｃと、制御部２０４ｅとを有する。本発明の１つの態様である制御装置は、通信モジュール２００ｅに対応する構成以外を有していなくてもよい。
【０１３０】
通信モジュール２００ｅは、撮像装置１０ｅと無線通信を行う。通信モジュール２００ｅは、第２の撮像モード情報または第３の撮像モード情報と動作情報とを撮像装置１０ｅに無線送信する。
【０１３１】
操作スイッチ２０２ｅは、表示モジュール２０１ｃによって表示された撮像モードのいずれか１つを選択する操作を受け付ける。操作スイッチ２０２ｅはさらに、動作の実行と動作の非実行との少なくとも１つの動作を選択する操作を受け付ける。例えば、操作スイッチ２０２ｅがユーザの体の一部と接触しているとき、操作スイッチ２０２ｅはユーザから操作を受け付ける。操作スイッチ２０２ｅは、操作を受け付けたとき、操作に応じた信号を制御部２０４ｅに出力する。操作スイッチ２０２ｅの形状と構造とは任意である。例えば、操作スイッチ２０２ｅはタッチパネルである。
【０１３２】
制御部２０４ｅは、ユーザによって選択された撮像モードに対応する撮像モード情報を記憶モジュール２０３ｃから読み出す。制御部２０４ｃは、読み出された撮像モード情報に基づいて第２の撮像モード情報または第３の撮像モード情報を生成する。制御部２０４ｃはさらに、動作の実行と非実行との少なくとも１つの動作を選択する操作の結果に基づいて動作情報を生成する。
【０１３３】
ユーザによって選択された撮像モードを示す第２の撮像モード情報または第３の撮像モード情報が撮像装置１０ｅの記憶モジュール１０３ｄに記憶される。したがって、撮像装置１０ｅは、記憶モジュール１０３ｄに記憶される第２の撮像モード情報と第３の撮像モード情報とを、ユーザによって選択された撮像モードに対応する情報に変更することができる。つまり、第５の実施形態では、第２の撮像モード情報と第３の撮像モード情報とはカスタマイズ可能である。
【０１３４】
ユーザによって選択された動作を示す動作情報が撮像装置１０ｅの記憶モジュール１０３ｄに記憶される。したがって、撮像装置１０ｅは、記憶モジュール１０３ｄに記憶される動作情報を、ユーザによって選択された撮像モードに対応する情報に変更することができる。つまり、第５の実施形態では、動作情報はカスタマイズ可能である。
【０１３５】
撮像装置１０ｅの起動処理は、図８に示す、撮像装置１０ｂの起動処理と同様である。このため、撮像装置１０ｅの起動処理についての説明を省略する。
【０１３６】
図２２は、撮像装置１０ｅが行う、撮像モード情報と動作情報との更新処理の手順を示している。図２２を参照して、撮像モード情報と動作情報との更新処理を説明する。
【０１３７】
撮像装置１０ｅが起動した後、通信モジュール１０５ｅは、撮像モード情報と動作情報とを制御装置２０ｅから無線受信する（ステップＳ５００）。撮像モード情報と動作情報とが受信された後、制御部１０４ｄは、受信された撮像モード情報を確認する（ステップＳ５０５）。
【０１３８】
受信された撮像モード情報が確認された後、制御部１０４ｄは、受信された撮像モード情報が第２の撮像モード情報であるか否かを判定する（ステップＳ５１０）。例えば、撮像操作スイッチ１０１ｂの状態を示す情報が、受信された撮像モード情報に付加されている。第２の状態を示す情報が撮像モード情報に付加されている場合、受信された撮像モード情報は第２の撮像モード情報であると判定することが可能である。第３の状態を示す情報が撮像モード情報に付加されている場合、受信された撮像モード情報は第３の撮像モード情報であると判定することが可能である。
【０１３９】
受信された撮像モード情報が第２の撮像モード情報である場合、制御部１０４ｄは、記憶モジュール１０３ｄに記憶されている第２の撮像モード情報を、受信された撮像モード情報で更新する。制御部１０４ｄはさらに、記憶モジュール１０３ｄに記憶されている動作情報を、受信された動作情報で更新する（ステップＳ５１５）。この結果、記憶モジュール１０３ｄに記憶された第２の撮像モード情報は、ユーザによって選択された撮像モードを示す。また、記憶モジュール１０３ｄに記憶された動作情報は、ユーザによって選択された動作を示す。
【０１４０】
受信された撮像モード情報が第２の撮像モード情報でない場合、受信された撮像モード情報は第３の撮像モード情報である。制御部１０４ｂは、記憶モジュール１０３ｄに記憶されている第３の撮像モード情報を、受信された撮像モード情報で更新する。制御部１０４ｄはさらに、記憶モジュール１０３ｄに記憶されている動作情報を、受信された動作情報で更新する（ステップＳ５２０）。この結果、記憶モジュール１０３ｄに記憶された第３の撮像モード情報は、ユーザによって選択された撮像モードを示す。また、記憶モジュール１０３ｄに記憶された動作情報は、ユーザによって選択された動作を示す。
【０１４１】
上記の処理が行われた後、撮像モード情報と動作情報との更新処理が終了する。
【０１４２】
図２３は、制御装置２０ｅが行う、撮像モード情報と動作情報との送信処理の手順を示している。図２３を参照して、撮像モード情報と動作情報との送信処理を説明する。
【０１４３】
制御部２０４ｅは、撮像装置１０ｅに設定可能な１つまたは複数の撮像モードに対応する１つまたは複数の撮像モード情報を記憶モジュール２０３ｃから読み出し、読み出された撮像モード情報を表示モジュール２０１ｃに出力する。表示モジュール２０１ｃは、撮像モード情報に基づいて、撮像装置１０ｅに設定可能な１つまたは複数の撮像モードを表示する（ステップＳ５５０）。
【０１４４】
撮像モードが表示された後、操作スイッチ２０２ｅは、撮像モードを選択する操作を受け付ける。制御部２０４ｅは、選択された撮像モードを検出する（ステップＳ５５５）。選択された撮像モードが検出された後、操作スイッチ２０２ｅは、撮像操作スイッチ１０１ｂの状態を選択する操作を受け付ける。制御部２０４ｅは、選択された撮像操作スイッチ１０１ｂの状態を検出する（ステップＳ５６０）。
【０１４５】
選択された撮像操作スイッチ１０１ｂの状態が検出された後、制御部２０４ｅは、ステップＳ５５５で検出された撮像モードに対応する撮像モード情報を記憶モジュール２０３ｃから読み出す（ステップＳ５６５）。制御部２０４ｅは、読み出された撮像モード情報と、ステップＳ５６０で検出された撮像操作スイッチ１０１ｂの状態とに基づいて、第２の撮像モード情報または第３の撮像モード情報を生成する（ステップＳ５７０）。例えば、第２の状態が検出された場合、制御部２０４ｅは、読み出された撮像モード情報に対して、第２の状態を示す情報を付加することにより、第２の撮像モード情報を生成する。あるいは、第３の状態が検出された場合、制御部２０４ｅは、読み出された撮像モード情報に対して、第３の状態を示す情報を付加することにより、第３の撮像モード情報を生成する。生成された第２の撮像モード情報または第３の撮像モード情報は通信モジュール２００ｅに出力される。
【０１４６】
第２の撮像モード情報または第３の撮像モード情報が生成された後、操作スイッチ２０２ｅは、動作の実行と動作の非実行との少なくとも１つの動作を選択する操作を受け付ける。制御部２０４ｅは、選択された動作を検出する（ステップＳ５７５）。操作スイッチ２０２ｅは、初期タイミングの撮像操作スイッチ１０１ｂの状態毎に動作を選択する操作を受け付けることが可能である。ステップＳ５７５において、表示モジュール２０１ｃは、選択可能な動作を表示してもよい。
【０１４７】
選択された動作が検出された後、制御部２０４ｅは、選択された動作に基づいて動作情報を生成する（ステップＳ５８０）。生成された動作情報は通信モジュール２００ｅに出力される。ステップＳ５８０で生成された動作情報は、ステップＳ５７０で生成された第２の撮像モード情報または第３の撮像モード情報が示す第２の撮像モードまたは第３の撮像モードに対応する。通信モジュール２００ｅは、第２の撮像モード情報または第３の撮像モード情報と動作情報とを撮像装置１０ｅに無線送信する（ステップＳ５８５）。
【０１４８】
上記の処理が行われた後、撮像モード情報と動作情報との送信処理が終了する。
【０１４９】
上記の説明では、撮像装置１０ｅが保持する第２の撮像モード情報と第３の撮像モード情報との両方の更新が可能である。しかし、撮像装置１０ｅが保持する第２の撮像モード情報と第３の撮像モード情報との一方のみの更新が可能であってもよい。また、同様の方法により、撮像装置１０ｅが保持する第１の撮像モード情報の更新が可能であってもよい。
【０１５０】
第５の実施形態では、第２の撮像モード情報と第３の撮像モード情報とを、ユーザによって選択された撮像モードに対応する情報に変更することができる。また、動作情報を、ユーザによって選択された動作に対応する情報に変更することができる。
【０１５１】
以上、図面を参照して本発明の実施形態について詳述してきたが、具体的な構成は上記の実施形態に限られるものではなく、本発明の要旨を逸脱しない範囲の設計変更等も含まれる。
【産業上の利用可能性】
【０１５２】
本発明の各実施形態によれば、電源がオフからオンに遷移するときの撮像操作スイッチの状態に応じて、撮像装置が第１の撮像モードと第２の撮像モードとを含む複数の撮像モードのいずれか１つで起動する。このため、撮像装置の起動時に撮像モードを設定することができる。
【符号の説明】
【０１５３】
１  撮像システム
１０ａ，１０ｂ，１０ｃ，１０ｄ，１０ｅ  撮像装置
２０ｃ，２０ｅ  制御装置
３０  レンズモジュール
１００  電源操作スイッチ
１０１ａ，１０１ｂ  撮像操作スイッチ
１０２  撮像モジュール
１０３ａ，１０３ｂ，１０３ｄ，２０３ｃ  記憶モジュール
１０４ａ，１０４ｂ，１０４ｄ，２０４ｃ，２０４ｅ  制御部
１０５ｃ，１０５ｅ，２００ｃ，２００ｅ  通信モジュール
２０１ｃ  表示モジュール
２０２ｃ，２０２ｅ  操作スイッチ
【要約】
撮像装置は、電源操作スイッチと、撮像操作スイッチと、撮像モジュールと、記憶モジュールと、制御部とを有する。前記撮像操作スイッチは、第１の状態と第２の状態とを含む複数の状態のいずれか１つになる。前記撮像装置が起動した後、前記第１の状態では撮像指示の操作は受け付けられず、前記第２の状態では前記撮像指示の操作が受け付けられる。前記記憶モジュールは、前記第１の撮像モードを示す第１の撮像モード情報と前記第２の撮像モードを示す第２の撮像モード情報とを記憶する。前記制御部は、前記撮像操作スイッチが前記第１の状態であり電源がオフからオンに遷移するとき、前記第１の撮像モード情報が示す前記第１の撮像モードで前記撮像装置を起動する。前記制御部は、前記撮像操作スイッチが前記第２の状態であり前記電源がオフからオンに遷移するとき、前記第２の撮像モード情報が示す前記第２の撮像モードで前記撮像装置を起動する。【図１】
0005769908.tif 000002
【図２】
0005769908.tif 000003
【図３】
0005769908.tif 000004
【図４】
0005769908.tif 000005
【図５】
0005769908.tif 000006
【図６】
0005769908.tif 000007
【図７】
0005769908.tif 000008
【図８】
0005769908.tif 000009
【図９】
0005769908.tif 000010
【図１０】
0005769908.tif 000011
【図１１】
0005769908.tif 000012
【図１２】
0005769908.tif 000013
【図１３】
0005769908.tif 000014
【図１４】
0005769908.tif 000015
【図１５】
0005769908.tif 000016
【図１６】
0005769908.tif 000017
【図１７】
0005769908.tif 000018
【図１８】
0005769908.tif 000019
【図１９】
0005769908.tif 000020
【図２０】
0005769908.tif 000021
【図２１】
0005769908.tif 000022
【図２２】
0005769908.tif 000023
【図２３】
0005769908.tif 000024